(57)【要約】【課題】操作ボタン部の操作に対応して表示素子により表示する洗濯機等の表示装置において、表示素子を覆う表示ケースからの光が横に広がないようにして視認性を向上するとともに、金型設計や加工性を向上する。【解決手段】複数の表示窓３３を有する操作パネル部１８の内方に、表示窓３３に対応した位置に複数の表示素子３２を設けた制御装置３０を配し、制御装置３０に、表示素子３２をそれぞれ覆う光拡散部３５を有する表示ケース３４を設け、隣り合う光拡散部３５の高さを異なる高さとし、操作パネル部１８に光拡散部３５の異なる高さに対応して段差１８ａを設ける。【選択図】　図１
2004121356.tif 000002
【特許請求の範囲】
【請求項１】
複数の表示窓を有する操作パネル部と、この操作パネル部の内方に配し前記表示窓に対応した位置に設けた複数の表示素子を有する制御装置とを備え、前記制御装置に、前記表示素子をそれぞれ覆う光拡散部を有する表示ケースを設け、隣り合う前記光拡散部の高さを異なる高さとし、前記操作パネル部に前記光拡散部の異なる高さに対応して段差を設けた洗濯機等の表示装置。
【請求項２】
複数の表示窓を有する操作パネル部と、この操作パネル部の内方に配し前記表示窓に対応した位置に設けた表示素子とを有する制御装置とを備え、前記制御装置に、前記表示素子を覆い上方に開放した光拡散部を有する表示ケースを設け、前記操作パネル部の裏側に前記表示ケースの上端部の対応位置に凹凸部を設け、前記表示ケースの上端部を前記凹凸部に嵌合するようにした洗濯機等の表示装置。
【発明の詳細な説明】
【０００１】
【発明の属する技術分野】
本発明は、操作ボタン部の操作に対応して表示素子により表示する洗濯機等の表示装置に関するものである。
【０００２】
【従来の技術】
従来、この種の洗濯機等の表示装置は、図５〜図７に示すように構成していた。以下、その構成について説明する。
【０００３】
図５に示すように、操作パネル部１は、洗濯槽（図示せず）を開閉自在に覆う蓋２を取り付けており、この操作パネル部１の上面にパネルシート３を設けている。このパネルシート３に操作部４、５、コース表示部６などを設けている。操作部４は洗濯動作を開始するとき操作するものであり、操作部５は所定の運転コースを選択するとき操作するものである。
【０００４】
コース表示部６は、操作部５により所定の運転コースを選択すると点灯する。電源スイッチ７は、洗濯機本体の電源を入／切するものである。
【０００５】
つぎに、図６に示すように、操作パネル部１の操作表示部８の下方に制御装置９を装着し、この制御装置９に複数のスイッチ１０を設けている。このスイッチ１０は、操作表示部８の操作ボタン部１１に対応した位置に設け、この操作ボタン部１１に設けた押圧部１２により押圧されてオン、オフできるように構成している。ここで、操作ボタン部１１は、ボタン支持部１３により操作表示部８に上下動自在に支持している。
【０００６】
操作表示部８の上面に弾性を有するパネルシート３を貼着し、パネルシート３に設けた操作部４、５より、操作ボタン部１１を介してスイッチ１０を押圧できるようにしている。
【０００７】
また、コース表示部６は、制御装置９にセットした表示ケース１４に設けた表示素子１５により構成し、図７に示すように、操作パネル部１に設けた表示窓１６にセットし、パネルシート３の表面に印刷してあるコースの表示１７に対応して表示するよう構成している（例えば、特許文献１参照）。
【０００８】
上記構成において動作を説明すると、電源スイッチ７の「入」をオンし、さらに操作部５をオンする。このとき、操作ボタン部１１に設けた押圧部１２によりスイッチ１０を押圧してオンし、所定の運転コースを選択する。このとき、コース表示部６ａ、６ｂ、６ｃと順次コース内容が変わり、使用者が予定のコースを選択する。
【０００９】
【特許文献１】
実願昭５８−７４２５６号（実開昭５９−１７８９９４号）のマイクロフィルム
【００１０】
【発明が解決しようとする課題】
このような従来の構成では、制御装置９にセットした表示ケース１４を操作パネル部１に設けた表示窓１６にセットしているため、制御装置９に設けた表示ケース１４の天面形状と操作パネル部１の天面形状が合いにくく、表示ケース１４とパネルシート３の間の隙間ができ、表示ケース１４からの光が横に広がり、パネルシート３の表面に印刷してあるコースの表示１７を的確に照らすことができず、ぼやけてしまうという問題があり、視認性がよくなかった。
【００１１】
本発明は上記課題を解決するもので、表示素子を覆う表示ケースからの光が横に広がないようにして視認性を向上するとともに、金型設計や加工性を向上することを目的としている。
【００１２】
【課題を解決するための手段】
本発明は上記目的を達成するために、複数の表示窓を有する操作パネル部の内方に、表示窓に対応した位置に複数の表示素子を設けた制御装置を配し、制御装置に、表示素子をそれぞれ覆う光拡散部を有する表示ケースを設け、隣り合う光拡散部の高さを異なる高さとし、操作パネル部に光拡散部の異なる高さに対応して段差を設けたものである。
【００１３】
これにより、表示ケースを覆う表示ケースからの光が横に広がることがなく、視認性を向上するができるとともに、金型設計や加工性を向上することができる。
【００１４】
【発明の実施の形態】
本発明の請求項１に記載の発明は、複数の表示窓を有する操作パネル部と、この操作パネル部の内方に配し前記表示窓に対応した位置に設けた複数の表示素子を有する制御装置とを備え、前記制御装置に、前記表示素子をそれぞれ覆う光拡散部を有する表示ケースを設け、隣り合う前記光拡散部の高さを異なる高さとし、前記操作パネル部に前記光拡散部の異なる高さに対応して段差を設けたものであり、表示ケースの光拡散部の異なる高さに対応して、操作パネル部に段差を設けることで、表示窓と表示ケースの間で光拡散部ごとに遮蔽することができ、表示ケースからの光が横に広がることがなく、視認性を向上することができるとともに、複雑で、高い寸法精度が必要な表示ケースを使用しないため、金型設計や加工性を向上することができる。
【００１５】
請求項２に記載の発明は、複数の表示窓を有する操作パネル部と、この操作パネル部の内方に配し前記表示窓に対応した位置に設けた表示素子とを有する制御装置とを備え、前記制御装置に、前記表示素子を覆い上方に開放した光拡散部を有する表示ケースを設け、前記操作パネル部の裏側に前記表示ケースの上端部の対応位置に凹凸部を設け、前記表示ケースの上端部を前記凹凸部に嵌合するようにしたものであり、操作パネル部の裏側に設けた凹凸部に表示ケースの上端部を嵌合することで、表示窓と表示ケースの間で光拡散部ごとに遮蔽することができ、表示ケースからの光が横に広がることがなく、視認性を向上することができるとともに、複雑で、高い寸法精度が必要な表示ケースを使用しないため、金型設計や加工性を向上することができる。
【００１６】
【実施例】
以下、本発明の実施例について、図面を参照しながら説明する。
【００１７】
（実施例１）
図２に示すように、操作パネル部１８は、洗濯槽（図示せず）を開閉自在に覆う蓋１９を取り付けており、この操作パネル部１８にパネルシート２０を設けている。このパネルシート２０に操作部２１、２２、２３ａ〜２３ｄ、２４、２５を設けている。操作部２１は洗濯動作をスタート・一時停止するとき操作するものであり、操作部２３ａ〜２３ｄは、水量、洗濯、すすぎ、脱水の個別設定を選択するとき操作するもので、表示部２４ａ〜２４ｄは、操作部２３ａ〜２３ｄに連動して時間等を表示する。
【００１８】
操作部２２は、おまかせ、我が家流、ゴシゴシ、ナイト、毛布など所定の運転コースを選択するとき操作するもので、運転コースに連動して表示部２６に表示する。操作部２４は電源入りスイッチを構成し、洗濯機本体の電源を入れるもので、操作部２５は電源切りスイッチを構成し、洗濯機本体の電源を切るものである。
【００１９】
操作パネル部１８には、図３に示すように、操作表示部２７を設けており、この操作表示部２７には、パネルシート２０の操作部２２、２３ａ〜２３ｅ、２４、２５に対応した位置に操作ボタン部２８を操作表示部２７に対して上下動自在に設けている。すなわち、操作パネル部１８はポリプロピレン樹脂により形成し、図１に示すように、操作表示部２７と操作ボタン部２８との間に薄肉部２９を設けて操作ボタン部２８を上下動自在としている。
【００２０】
操作パネル部１８の操作表示部２７の下方に制御装置３０を装着し、この制御装置３０に複数のスイッチ３１を設けている。このスイッチ３１は、操作ボタン部２８を介して操作するようにしている。また、制御装置３０には、操作パネル部１８に設けた複数の表示窓３３に対応した位置に表示素子３２を設けている。
【００２１】
表示ケース３４は、図１に示すように、複数の表示素子３２をそれぞれ覆う光拡散部３５を有し、隣り合う光拡散部３５の高さを異なる高さとして、制御装置３０に設けている。操作パネル部１８に、光拡散部３５の異なる高さに対応して、段差１８ａを有する光拡散部３６を設けており、表示ケース３４の光拡散部３５と、操作パネル部１８の光拡散部３６とを連通するよう構成している。ここで、光拡散部３５、３６は、非透光材料にて形成し、相互に露光しない構成としている。
【００２２】
なお、表示窓３３は、図３に示すように、表示部２４ａ〜２４ｄに対応する表示窓３３ａ〜３３ｄと、表示部２６に対応する表示窓３７ａ〜３７ｅとを有している。表示窓３７ａ〜３７ｅは、操作部２２により選択した運転コースに対応して点灯した表示素子３２の光を表示部２６に伝えるものである。また、パネルシート２０は弾性を有し、操作表示部２７の上面に貼着している。
【００２３】
上記構成において動作を説明すると、電源入りスイッチを構成する操作部２４を押圧すると、操作ボタン部２８が薄肉部２９を支点としてたわみ、スイッチ３１をオンすることができて、電源を入れることができる。つぎに、操作部２２を押圧すると、同様にして、操作ボタン部２８を介して、所定の運転コースを選択することができる。さらに、操作部２１を押圧すると、同様にして、操作ボタン部２８を介してスイッチ３１をオンすることができて運転を開始する。
【００２４】
このとき、操作パネル部１８の内方に配した制御装置３０には、操作パネル部１８に設けた複数の表示窓３３に対応した位置に表示素子３２を設け、制御装置３０に設けた表示ケース３４は、複数の表示素子３２をそれぞれ覆う光拡散部３５を有し、隣り合う光拡散部３５の高さを異なる高さとし、操作パネル部１８の表示窓３３には、光拡散部３５の高さに対応した段差１８ａを有する光拡散部３６を設け、この光拡散部３６と表示ケース３４の光拡散部３５とを連通しているので、表示窓３３と表示ケース３４の間でそれぞれ光拡散部３５、３６ごとに遮蔽することができる。
【００２５】
これにより、表示素子３２の光は、対応する光拡散部３５と光拡散部３６のみを介してパネルシート２０の対応する表示部にのみ達するため、表示ケース３４からの光が横に広がることがなく、視認性を向上することができるとともに、それぞれの光拡散部３５、３６の高さを異なる高さとするだけでよいため、複雑で、高い寸法精度が必要な表示ケース３４を使用しないため、金型設計や加工性を向上することができる。
【００２６】
（実施例２）
図４に示すように、操作パネル部３８は、複数の表示窓３９を有し、この操作パネル部３８の内方に配した制御装置４０に、表示窓３９に対応した位置に表示素子４１を設けている。制御装置４０に表示素子４１を覆い上方に開放した光拡散部４２を有する表示ケース４３を設けている。
【００２７】
操作パネル部３８の表示窓３９には、表示ケース４３の光拡散部４２に対応した位置に光拡散部４４を設け、操作パネル部３８の裏側で、この光拡散部４４の下端部に凹部３８ａを設けている。この凹部３８ａに、表示ケース４３の上端部に設けた凸部４２ａが挿入され、表示ケース４３の光拡散部４２と、操作パネル部３８の光拡散部４４とを連通するよう構成している。他の構成は上記実施例１と同じである。
【００２８】
上記構成において、操作パネル部３８の裏側に設けた凹部３８ａに、表示ケース４３の上端部に設けた凸部４２ａが挿入されることで、それぞれの表示窓３９と表示ケース４３の間で、光拡散部４２、４４ごとに遮蔽することができ、表示ケース４３からの光が横に広がることがなく、視認性を向上することができるとともに、操作パネル部３８の表面形状に合わせて表示ケース４３の上端面を加工する必要がないので、複雑で、高い寸法精度が必要な表示ケース４３を使用しないため、金型設計や加工性を向上することができる。
【００２９】
なお、上記各実施例では、洗濯機について説明したが、衣類乾燥機、食器洗い機などについても、同様に構成することができる。
【００３０】
【発明の効果】
以上のように、本発明の請求項１に記載の発明によれば、表示窓に対応した位置に複数の表示素子を設けた制御装置に、表示素子をそれぞれ覆う光拡散部を有する表示ケースを設け、隣り合う光拡散部の高さを異なる高さとし、操作パネル部に光拡散部の異なる高さに対応して段差を設けたことにより、表示窓と表示ケースの間で光拡散部ごとに遮蔽することができ、表示ケースからの光が横に広がることがなく、視認性を向上することができるとともに、複雑で、高い寸法精度が必要な表示ケースを使用しないため、金型設計や加工性を向上することができる。
【図面の簡単な説明】
【図１】本発明の第１の実施例の洗濯機等の表示装置の断面図
【図２】同洗濯機等の表示装置を備えた洗濯機の要部上面図
【図３】同洗濯機等の表示装置の分解斜視図
【図４】本発明の第２の実施例の洗濯機等の表示装置の断面図
【図５】従来の洗濯機等の表示装置を備えた洗濯機の要部上面図
【図６】同洗濯機等の表示装置の分解斜視図
【図７】同洗濯機等の表示装置の断面図
【符号の説明】
１８　操作パネル部
１８ａ　段差
３０　制御装置
３２　表示素子
３３　表示窓
３４　表示ケース
３５　光拡散部
【図１】
2004121356.tif 000003
【図２】
2004121356.tif 000004
【図３】
2004121356.tif 000005
【図４】
2004121356.tif 000006
【図５】
2004121356.tif 000007
【図６】
2004121356.tif 000008
【図７】
2004121356.tif 000009